(57)【要約】【課題】缶飲料（例えば缶コーヒー）に添加材料（例えばミルク）を混合可能とする従来の容器では缶構造を変更が必要となる。飲料と材料の組み合わせの自由度が低い。【解決手段】缶飲料１の上面に装着し、添加材料を収容した缶飲料用アタッチメント１１である。材料収納部２１と、材料収納部の下部に設けられて缶容器と嵌合し液密性を保持するシール手段２６を有する嵌合部と、材料収納部の下面側の全部又は一部を閉鎖する一方、開缶タブを起立させた状態で嵌合部を缶容器に嵌合させたときに開缶タブ５によって開孔可能な封止部（フィルム２３）と、飲料取出口３１とを備える。【選択図】図１
2005082186.tif 000002
【特許請求の範囲】
【請求項１】
缶容器に飲料を収容した缶飲料の上面部に装着し、該飲料と混合する材料を内部に収容可能な缶飲料用アタッチメント容器であって、
前記材料を収容する材料収納部と、
該材料収納部の下部に設けられて前記缶容器と嵌合し、該缶容器との間の液密性を保持するシール手段を有する嵌合部と、
前記材料収納部の下面側の少なくとも一部を閉鎖する一方、前記缶容器が備える開缶タブを起立させた状態で前記嵌合部を該缶容器に嵌合させたときに該開缶タブによって開孔可能な封止部と、
当該アタッチメントの内部空間に連通して前記飲料と前記材料とを取り出すことを可能とする取出口と、
を備えたことを特徴とする缶飲料用アタッチメント容器。
【請求項２】
前記嵌合部は、略円筒状の形状を有して前記缶容器の上端部に被せかつ該缶容器との相対回動可能に該缶容器に嵌合するとともに、該缶容器の上端部外周面に当接するリング状のシール材を内周面に備え、
前記封止部は、前記材料収納部の底面の少なくとも一部を形成するように張設されかつ前記開缶タブによって突き破ることが可能なフィルム材を備える
ことを特徴とする請求項１に記載の缶飲料用アタッチメント容器。
【請求項３】
請求項１または２に記載の缶飲料用アタッチメント容器の前記材料収納部内に、前記飲料と混合すべき材料を収容したことを特徴とする缶飲料用アタッチメント。
【請求項４】
請求項３に記載の前記缶飲料用アタッチメントを備えたことを特徴とする缶飲料。
【発明の詳細な説明】
【技術分野】
【０００１】
本発明は、缶飲料用アタッチメントに係り、特に缶コーヒーのような缶飲料に装着して、飲む直前にミルクなどの各種材料を缶飲料に加えることを可能とする技術に関する。
【背景技術】
【０００２】
缶コーヒーや缶ジュースのような清涼飲料、あるいは缶入りのスープやアルコール飲料など各種の缶飲料が提供されている。これらの缶飲料は、長期保存が可能で手軽に飲むことが出来る利点を有する一方で、需要者の様々な嗜好にきめ細かく対応することが難しいという側面がある。
【０００３】
例えばコーヒーの場合、ミルクや砂糖の有無、さらにそれらをどの程度の量加えるか人それぞれ好みが分かれる。従来の缶コーヒーにあっても、砂糖とミルクを適度に加えた標準的な仕様のほかに、砂糖の量を減らした「微糖」タイプや「甘さひかえめ」タイプ、ミルクの量が多い「カフェオレ」など複数種類の品目が提供されているものの、需要者各人の微妙な嗜好にすべて対応することは困難である。また、多様な品目を揃えることは、需要者のニーズに応える面からは好ましいが、製造や流通、商品管理面からは、効率低下・コスト上昇を招く。
【０００４】
さらに、コーヒーに加えるミルクのような添加材料の場合、これを予め飲料に混ぜてしまうと、風味が落ち、当該飲料本来の美味しさが損なわれるという問題もある。
【０００５】
一方、かかる風味の低下を防ぎ、需要者の好みに応える缶容器構造を提案するものとして下記特許文献がある。
【０００６】
【特許文献１】特開２００２−３７０７４６号公報
【特許文献２】特開平５−１６９３９号公報
【０００７】
ところが、これら文献記載の発明は、いずれも缶容器の構造を変更しなければならないものであり、実現性の点で難がある。現在、缶飲料は市場において広く普及し、その容器形状・サイズ・構造等についてはメーカーの枠を超えて既に標準化が確立されているからであり、製造（製缶）ラインの変更を伴う容器構造の変更は現実には容易ではない。
【０００８】
さらに、上記文献記載の容器は、現実にはせいぜい数種類程度（例えば砂糖のみ、ミルクのみ、砂糖・ミルク両方入り）の飲料を提供できるに過ぎず、飲料と添加材料の組み合わせの自由度という点では、既存の缶飲料の域を出ないものである。
【０００９】
なぜなら、文献記載の容器構造では、添加材料を予め缶容器内に配置しておかなければならないから、添加すべき材料が多岐に亘る場合には、缶容器内の収容部にこれら各種の材料を収容した非常に多種類の缶飲料を提供しなければならず、結果として多様な品目を揃えなければならないという上述した従来の缶飲料と同様の問題が生じるからである。
【００１０】
例えば砂糖・ミルク以外にも、シナモンパウダーを加えてシナモンコーヒーにしたい、キャラメルシロップを添加したい、チョコレート粉末を加えたい、生クリームを加えてウインナーコーヒーを楽しみたいなど様々な嗜好・欲求が考えられ、これらに柔軟に対応することは上記文献記載の容器では難しい。
【発明の開示】
【発明が解決しようとする課題】
【００１１】
したがって本発明が解決しようとする問題点は、従来提案されている容器構造では、現実に普及している缶構造を変更しなければならない点であり、さらに添加材料の組み合わせの自由度に実質的に制限がある点である。
【課題を解決するための手段】
【００１２】
前記課題を解決するため、本発明に係る缶飲料用アタッチメント容器（請求項１）は、缶容器に飲料を収容した缶飲料の上面部に装着し、該飲料と混合する材料を内部に収容可能な缶飲料用アタッチメント容器であって、前記材料を収容する材料収納部と、該材料収納部の下部に設けられて前記缶容器と嵌合し、該缶容器との間の液密性を保持するシール手段を有する嵌合部と、前記材料収納部の下面側の少なくとも一部を閉鎖する一方、前記缶容器が備える開缶タブを起立させた状態で前記嵌合部を該缶容器に嵌合させたときに該開缶タブによって開孔可能な封止部と、当該アタッチメントの内部空間に連通して前記飲料と前記材料とを取り出すことを可能とする取出口とを備えたことを特徴とする。
【００１３】
本発明は、缶飲料容器自体の構造を変えることなく、缶容器の上面部に装着可能なアタッチメント容器を別体として構成したものである。アタッチメント容器内には材料収納部を形成し、この収納部内に、缶飲料に混合すべき材料（添加材料）を収容可能とする。材料収納部は、その下面の少なくとも一部を前記封止部により閉鎖してあり、この封止部は、開缶タブを引き起した状態（例えば開缶操作に伴いタブを垂直に立てた状態）で前記嵌合部を缶容器に嵌合させたときに、開缶タブによって開孔される。
【００１４】
また、本発明に係る缶飲料用アタッチメント（請求項３）は、かかるアタッチメント容器の材料収納部内に缶飲料と混合すべき材料を収容したものである。
【００１５】
アタッチメントの使用にあたっては、まず、缶容器上面（缶蓋）の開缶タブを引き起こして缶を開け、その後、タブを立てたままの状態で嵌合部を缶容器上端部に嵌めてアタッチメントを缶容器に装着する。すると、缶蓋上に起立したタブが材料収納部の下面を閉鎖していた封止部を突き当たって孔が開けられ、これにより缶容器内部と材料収納部とが連通することとなって缶容器内の飲料と材料収納部内の添加材料とが混合可能な状態となる。この連通状態でアタッチメントが装着された缶容器を振れば、飲料と添加材料とを混ぜ合わせることが出来る。嵌合部にはシール手段を設けてあり、このシール手段が、アタッチメントの外部に飲料および添加材料が漏れることを阻止する。
【００１６】
尚、かかる本発明のアタッチメントは、閉缶状態にある缶飲料に装着した場合には、開缶タブは缶蓋上面に沿って寝た状態（倒れた状態）となっているから、封止部にタブが当たって開孔されることはなく、材料収納部内の材料が漏れ出ることはない。請求項４の飲料は、このような閉缶状態にある缶飲料に前記アタッチメントを装着したものである。
【００１７】
また、本発明のアタッチメントには、内部空間に連通して前記飲料と材料とを取り出すための取出口を設けてあり、この取出口を通じて前記添加材料を混ぜた飲料を取り出し、飲むことが出来る。
【００１８】
また、前記嵌合部は、略円筒状の形状を有して前記缶容器の上端部に被せかつ該缶容器との相対回動可能に該缶容器に嵌合するとともに、該缶容器の上端部外周面に当接するリング状のシール材を内周面に備え、前記封止部は、前記材料収納部の底面の少なくとも一部を形成するように張設されかつ前記開缶タブによって突き破ることが可能なフィルム材を備えることがある（請求項２）。
【００１９】
かかるアタッチメント構造では、缶飲料の開缶タブを立て、嵌合部を嵌合させた後に該嵌合部を回動させる。この嵌合状態では、開缶タブがフィルム材に突き刺さった状態にあり、さらに回動操作に伴い開缶タブによって前記フィルム材がえぐられるから、材料収納部の底面に少なくともタブの幅寸法の直径を有する孔が形成されることとなり、この孔を通じて添加材料と飲料との混合が可能となる。
【００２０】
フィルム材は、前記起立状態にある開缶タブによって突き破ることが可能な材料であれば特に限定されない。例えば、アルミニウムシートのような金属箔であっても良いし、樹脂フィルム、あるいは防水性の紙材、ラミネートシートのような複合材料フィルムその他であっても構わない。
【００２１】
また、封止部（請求項１）は、請求項２にいうかかるフィルム材に限定されるものではなく、これ以外にも、例えば開缶タブにより押し開けることが可能な栓や蓋体のような閉塞部材によって構成することも可能である。
【発明の効果】
【００２２】
本発明によれば、現在普及している缶飲料の容器構造を変更することなく、該缶飲料に様々な添加材料を混ぜることが可能となる。
【００２３】
本発明の他の目的、特徴および利点は、以下の本発明の実施の形態および実施例の説明により明らかにする。
【発明を実施するための最良の形態】
【００２４】
以下、添付図面を参照しつつ本発明の実施の形態を説明する。尚、各図中、同一の符号は同一または相当部分を示す。
【００２５】
〔構造〕  図１から図６は、本発明に係る缶飲料用アタッチメントの一例を示すものである。同図に示すようにこのアタッチメント１１は、缶飲料１の上面部に被せて嵌合させるキャップ状のアタッチメントであり、略円筒状の全体形状を有し、缶飲料容器１に被せることが出来るように底面は開放され、添加材料を混ぜた飲料を取り出すための飲み口３１を天面に設けてある。
【００２６】
円筒状のアタッチメント本体１２は、その内部の上端部に、缶飲料に添加すべき材料を収納する材料収納室２１を形成してある。この収納室２１は、アタッチメント本体１２の天板１３と側壁１４、さらに底面を閉塞するフィルム材２３によって画成され、内部に添加材料（図示せず／他の図面でも同様）を収納してある。材料収納室２１の底面を形成するフィルム材２３は、アタッチメント本体１２の側壁内面の全周に亘り形成した支持フランジ２２の下面に張り渡してある。
【００２７】
フィルム材２３は、添加材料を密封可能でかつ開缶タブ５（特にステイオンタブ）を突き刺して破くことが可能なものであれば特に問わない。例えば、アルミニウムシートのような金属箔であっても良いし、樹脂フィルム、あるいは防水性の紙材、紙または樹脂シートにアルミニウムを蒸着した複合シート材料、その他のラミネートシート材等により形成することも可能である。ただし、収容する添加材料の種類にもよるが、特に生鮮材料（例えばミルクや生クリームのような）の場合には、材料の劣化を防ぎ品質を保持する観点から、気密性の高い材料により形成することが望ましい。
【００２８】
フィルム材２３の下面には、賞味期限の表示５１やアタッチメントの使用方法の説明書き５２、さらには開缶タブ５が該フィルム材２３を破る旨を示す適当なマーク５３を印刷しておくことが出来る。また、タブ５によって孔２３ａ（図５）が開きやすいように、切込みあるいはフィルムの肉薄部を、後に述べる起立状態にあるタブ５が当接する位置に形成しておいても良い。
【００２９】
フィルム材２３の下方位置には、アタッチメント１１を缶容器１に嵌合させるための嵌合部を設ける。現行の缶飲料（缶入り清涼飲料）の容器は一般に、缶胴、缶蓋および缶底から構成される所謂３ピース缶であっても、缶底と一体となった缶胴と缶蓋とにより構成される所謂２ピース缶であっても、缶胴３と缶蓋２との間に缶１の全周に亘って溝４が形成されている。本実施形態では、この溝４に嵌合するリング状の突条フランジ２５と該突条フランジ２５に固定したシールリング２６とにより嵌合部を構成する。
【００３０】
突条フランジ２５は、アタッチメント本体１２の側壁内周面に、該アタッチメント本体１２と一体成形することにより設けることが出来る。一方、該フランジ２５に固定するシールリング２６は、缶表面に当接して飲料や添加材料の漏出を防ぐことが出来るように、ゴムあるいは樹脂等の液密性（水密性）材料により形成する。尚、このシールリング２６には、食品容器パッケージ等の水密シール部一般に使用されるパッキン材料を利用することが可能である。
【００３１】
このような嵌合構造とすることにより、シールリング２６によって飲料および添加材料がアタッチメント１１の外部に漏れ出すことを防ぐことができ、同時に、嵌合状態においてもアタッチメント１１と缶容器１とを相対回動させることが可能となる。
【００３２】
アタッチメント本体１２の材質は特に問わないが、プラスチック（樹脂）により形成することが、成形の容易さおよび製造コストの点からは有利である。ただし、これ以外の材料によって構成することも勿論可能で、例えば金属やガラス、防水性のある紙材等により形成しても良い。また、アタッチメント本体１２を透明にすることも可能で（例えば透明な樹脂により形成する）、このような構造によれば、飲料と添加材料の混ざり具合（混合の程度）を目で見て確認し、好みに応じて混ぜ具合を容易に調節することが出来る。
【００３３】
また、アタッチメント本体１２の天面に設けた飲み口３１は、材料収納室２１に通じる管路部３２を有し、この管路部３２を閉鎖するキャップ３３を上端部に設けてある。キャップ３３は、飲み口３１の側面に立設したアーム３４によってアタッチメント本体１２に支持してあり、該アーム３４とキャップ３３との間、並びにアーム３４とアタッチメント本体１２との間は、枢軸３５，３６によってそれぞれ回動可能に連結してある。したがって、図５（ｃ）に示すように、枢軸３５，３６を中心としてキャップ３３とアーム３４を回動させ、アーム３４を倒すようにしてキャップ３３を開けることが出来る。
【００３４】
キャップ３３を飲み口３１に被せることにより、管路部３２が塞がれ、材料収納室２１から添加材料や飲料が漏れ出ることがなくなる。飲み口３１の構造や管路部３２の径は、例えば飲料の種類や添加材料の種類（液体か固体か、粒径等）等に応じて様々に変更が可能である。また、飲み口３１（取出口）は、口をつけて吸い出すような飲み口であっても良いし、比較的大きな開口を備え、缶を傾けあるいは逆さまにして飲料を流れ出すようにして取り出す取出口とすることも可能である。
【００３５】
例えば図６は、取出口の別の一例を示すもので、アタッチメント本体１２の天板１３に開口４２を穿設し、この開口４２を剥離可能に樹脂フィルム４３等で覆って閉塞したものである。樹脂フィルム４３を剥がすことにより、開口４２を通じて飲料を取り出すことが出来る。これ以外にも、飲料を取り出すことが出来るものであれば、各種構造の取出口であって構わない。
【００３６】
〔使用方法〕  本実施形態に係るアタッチメントの使用方法を説明する。まず、缶蓋２に設けられた開缶タブ５（ステイオンタブ）を引き起こして缶を開ける（図４（ａ），図５（ａ））。開缶時には通常、タブ５を引き起こして開缶した後にタブ５を再び戻すが、本発明のアタッチメントを使用する場合にはタブ５を戻すことなく、立てた状態のままとする。
【００３７】
そして、タブ５を立てたままの状態でアタッチメント１１を缶容器１に被せ、嵌合部（突条フランジ２５とシールリング２６）を缶容器上端部の溝４に嵌める。すると、缶蓋上に起立したタブ５が材料収納室下面のフィルム材２３に当たり、さらにフィルム材２３に突き刺さる。そしてこの状態でアタッチメント１１（あるいは缶１）を回転させれば、タブ５によりフィルム材２３がえぐられ、フィルム材２３に孔２３ａが開けられる（図４（ｂ），図５（ｂ））。尚、このような回転操作を促すため、アタッチメント本体１２の側壁には矢印５５を表示しておいても良い。一方、アタッチメント１１を使用して添加材料の混合が可能である旨需要者に注意を喚起するため、缶飲料側には、開缶タグ５に着色を施しておいても良い。
【００３８】
前記開缶操作（タブ５の引き起し）によって缶容器１は既に開缶されているから、フィルム材２３に孔２３ａが開けられると、缶容器内部と材料収納室２１とが連通することとなり、缶容器内の飲料と材料収納室内の添加材料とが混合可能な状態となる。したがって、この状態で缶１を振れば、飲料と添加材料とを混合させることが出来る。そして、混合した飲料を飲むには、飲み口３１に設けられたキャップ３３を開ければ良い（図４（ｃ），図５（ｃ））。尚、缶の振り方を加減すれば、飲料と添加材料との混合程度を調節することができ、例えばコーヒー飲料にミルクを添加する場合、好みに応じた所望の混ぜ具合のミルク入りコーヒーを楽しむことが出来る。
【００３９】
〔適用可能な飲料および添加材料の例〕  本発明に係るアタッチメントは、様々な飲料および該飲料に応じた添加材料に適用が可能である。缶容器に収容される飲料としては、コーヒーをはじめ各種のジュース類・スポーツドリンク・アルカリ飲料・健康飲料その他の清涼飲料、ミネラルウォータ、炭酸水、スープ類、ビール・発泡酒・焼酎・ワイン・リキュール類・薬用酒等のアルコール飲料などが挙げられる。
【００４０】
一方、添加材料についても様々な材料を使用することが出来る。例えばミルク・砂糖以外にも、ガムシロップ、生クリーム、アイスクリーム、キャラメルシロップ、シナモンパウダー、果汁、氷粒、果汁の冷凍粒、各種のフレーバー類などである。また、タピオカや缶入りスープ飲料に加えるクルトン、野菜片、コーンフレーク等のシリアルその他の食材、胡椒等のスパイス類を装填し提供することも可能である、さらに、ビタミン剤・プロテイン剤・食物繊維等の栄養補助食品・サプリメント、可食性機能材料、エキス類等を使用することも出来る。添加材料の形態は、液体や流動体に限られず、粉末、顆粒、粉砕片等の固体であっても良い。
【００４１】
本発明のアタッチメントは、飲料と組み合わせて（缶飲料に装着した状態で）添加材料を提供することも出来るが、添加材料単独でも市場に提供できる特徴を備えている。したがって、非常に多種多様の飲料との組み合わせが可能となる。さらに缶飲料は通常の冷蔵用のものであっても、これに冷凍材料（例えば氷や冷凍果汁、アイスクリーム等）を組み合わせることが可能となる利点をも有する。
【００４２】
尚、缶飲料と添加材料の組み合わせを述べれば、コーヒーとミルクのほか、例えばスポーツドリンク（アルカリ飲料）とサプリメント（ビタミン剤のような各種栄養補助剤）、アルコール飲料と果汁が一例として挙げられる。勿論このほかにも種々の組み合わせが可能であり、極めて広範な缶飲料と材料との組み合わせを提供することが出来る。
【００４３】
以上、本発明の実施の形態および実施例について説明したが、本発明はこれらに限定されるものではなく、特許請求の範囲に記載の範囲内で種々の変更を行うことができることは当業者に明らかである。
【００４４】
例えば、アタッチメント本体・取出口・取出口のキャップ・嵌合部・材料収納部等の形状・材質・構造は、特許請求の範囲内で各種の変更が可能である。フィルム材２３は、前記実施形態では材料収納室２１（材料収納部）の底面の略全面を覆うものとしたが、起立状態にあるタブ５が当接する位置に少なくとも配置されていれば良い。例えばステイオンタブを備えた缶コーヒー等の缶容器では、開缶タブ５を起すと該タブが缶上面のほぼ中央位置に起立することとなるから、該容器に適用するアタッチメントでは、材料収納部底面の少なくとも中央部を閉塞するように封止部（フィルム材）を設ければ良い。また、前記実施形態では、材料収納室２１（材料収納部）に通じるように飲み口３１（取出口）を設けたが、材料収納室下部のアタッチメント内に連通させるようにしても同様に本発明の目的を達成することが可能である。
【図面の簡単な説明】
【００４５】
【図１】本発明の一実施形態に係る缶飲料用アタッチメントを示す断面図である。
【図２】本発明の一実施形態に係る缶飲料用アタッチメントを示す水平断面図（図１のＡ−Ａ線矢視断面）である。
【図３】本発明の一実施形態に係る缶飲料用アタッチメントを切り欠いて内部構造を示す斜視図である。
【図４】（ａ）から（ｃ）は、本発明の一実施形態に係る缶飲料用アタッチメントを使用工程に従って順に示す斜視図である。
【図５】（ａ）から（ｃ）は、本発明の一実施形態に係る缶飲料用アタッチメントを使用工程に従って順に示す断面図である。
【図６】本発明の別の実施形態に係る缶飲料用アタッチメント（取出口の別の例）を示す斜視図である。
【符号の説明】
【００４６】
１  缶飲料
５  開缶タブ
１１  缶飲料用アタッチメント
１２  アタッチメント本体
２１  材料収納室
２３  フィルム材
２６  シールリング
３１  飲み口
【図１】
2005082186.tif 000003
【図２】
2005082186.tif 000004
【図３】
2005082186.tif 000005
【図４】
2005082186.tif 000006
【図５】
2005082186.tif 000007
【図６】
2005082186.tif 000008